(57)【特許請求の範囲】
【請求項１】
情報を提供する情報提供システムであって、
前記情報と前記情報の種類を示す関連情報とを対応付けて格納する情報格納部と、
所定の端末を特定する端末特定情報と前記端末の利用者が嗜好する前記情報の種類を示す前記関連情報を指定する個別指定情報とを対応付けて格納する利用者情報格納部と、
前記情報を出力する情報出力装置から所定の範囲に位置する前記端末を検出する対象端末検出部と、
前記対象端末検出部により検出された複数の端末特定情報にそれぞれ対応付けられた複数の前記個別指定情報を前記利用者情報格納部から読み出し、読み出した個別指定情報の中から、複数の端末特定情報に共通して対応付けられた個別指定情報を抽出することにより、前記情報出力装置から所定の範囲に位置する前記端末の利用者が共通して嗜好する前記情報の種類を示す前記関連情報を指定する共通指定情報を生成する共通情報生成部と、
前記共通情報生成部により生成された前記共通指定情報により指定される関連情報に対応付けられた情報を前記情報格納部から選択する情報選択部と、
前記情報選択部により選択された前記情報を前記情報格納部から読み出して前記情報出力装置に出力させる出力制御部と
を備えることを特徴とする情報提供システム。
【請求項２】
前記共通情報生成部は、読み出した個別指定情報の数を計数して、計数した結果が多い個別指定情報を共通指定情報として生成することを特徴とする請求項１に記載の情報提供システム。
【請求項３】
前記対象端末検出部は、前記端末の前記端末特定情報を検出する特定情報検出部と、
前記特定情報検出部に検出された前記端末特定情報により特定される前記端末の位置情報を取得する位置情報取得部と、
前記位置情報に基づいて、前記情報出力装置から所定の範囲に位置する前記端末を判定する対象判定部と
を備えることを特徴とする請求項１又は２に記載の情報提供システム。
【請求項４】
前記端末から発信される前記端末特定情報を含む端末情報を受信する端末特定情報入力部を更に備え、
前記特定情報検出部は、前記端末情報に含まれる前記端末特定情報を検出し、
前記位置情報取得部は、前記端末特定情報入力部が受信した前記端末特定情報の強度を検出し、
前記対象判定部は、前記強度に基づいて前記端末が前記所定の範囲に位置するか否かを判定することを特徴とする請求項３に記載の情報提供システム。
【請求項５】
前記端末特定情報と前記端末特定情報に対応付けられた前記端末の位置情報とを含む端末情報を入力する端末情報入力部を更に備え、
前記特定情報検出部は、前記端末情報に含まれる前記端末特定情報を検出し、
前記位置情報取得部は、前記端末情報に含まれる前記位置情報を取得し、
前記対象判定部は、前記情報出力装置の位置情報と、前記位置情報取得部が取得した前記位置情報とに基づいて前記端末が前記所定の範囲に位置するか否かを判定することを特徴とする請求項３に記載の情報提供システム。
【請求項６】
前記端末から発信される前記端末特定情報を含む端末情報を受信する端末特定情報入力部を更に備え、
前記特定情報検出部は、前記端末情報に含まれる前記端末特定情報を検出し、
前記位置情報取得部は、前記特定情報検出部により検出された前記端末特定情報に対応付けられた前記端末の位置情報を、前記位置情報を提供する位置情報提供装置から取得し、
前記対象判定部は、前記情報出力装置の位置情報と、前記位置情報取得部が取得した前記位置情報とに基づいて前記端末が前記所定の範囲に位置するか否かを判定することを特徴とする請求項３に記載の情報提供システム。
【請求項７】
前記情報選択部により選択された前記情報を前記情報出力装置から所定の範囲に位置する前記端末に通知する個別通知部を更に備えることを特徴とする請求項１から６のいずれかに記載の情報提供システム。
【請求項８】
前記利用者情報格納部は、前記個別通知部から通知される前記情報を受け付けるか否かを指定する通知指定情報を前記端末特定情報に対応付けて格納し、
前記個別通知部は、通知を受けることを指定された前記端末に前記情報選択部により選択された前記情報を個別に通知することを特徴とする請求項７に記載の情報提供システム。
【請求項９】
前記情報格納部に格納された前記情報を表示するスケジュールを格納するスケジュール格納部を更に備え、
前記情報選択部は、前記所定の範囲に前記端末が位置しない場合に、前記スケジュールに基づいて前記情報格納部から前記情報を選択することを特徴とする請求項１から８のいずれかに記載の情報提供システム。
【請求項１０】
前記情報選択部により選択された前記情報を特定する選択情報と、選択された情報を出力した情報出力装置を特定する情報と、情報を出力した時間とを、それらの情報を対応づけて管理する管理装置に通知する表示状態通知部を更に備えることを特徴とする請求項１から９のいずれかに記載の情報提供システム。
【請求項１１】
前記情報出力装置は、前記情報を表示する表示装置であることを特徴とする請求項１から１０のいずれかに記載の情報提供システム。
【発明の詳細な説明】
【０００１】
【発明の属する技術分野】
本発明は、情報提供システム、情報提供装置および情報提供方法に関する。特に本発明は、利用者に応じた情報を提供する情報提供装置に関する。
【０００２】
【従来の技術】
電車などの公共の場に設置された表示部に、情報を表示する情報提供装置がある。
【０００３】
【発明が解決しようとする課題】
従来の情報提供装置は、予め設定した順番で情報を表示部に表示していた。不特定多数の人物を対象とする情報提供装置では、利用者に応じた情報を提供することが困難だった。
【０００４】
そこで本発明は、上記の課題を解決することのできる情報提供システム、情報提供装置および情報提供方法を提供することを目的とする。この目的は特許請求の範囲における独立項に記載の特徴の組み合わせにより達成される。また従属項は本発明の更なる有利な具体例を規定する。
【０００５】
【課題を解決するための手段】
上記課題を解決する為に本発明の第１の形態は、情報を提供する情報提供システムであって、情報と情報に関連する関連情報とを対応付けて格納する情報格納部と、無線通信システムにおける移動局である所定の端末を特定する端末特定情報と関連情報を指定する個別指定情報とを対応付けて格納する利用者情報格納部と、複数の端末特定情報にそれぞれ対応付けられた複数の個別指定情報から、重複する個別指定情報を抽出して共通指定情報を生成する共通情報生成部と、共通指定情報に基づいて情報格納部から情報を選択する情報選択部と、情報選択部に選択された情報を所定の装置に出力させる出力制御部とを備えることを特徴とする情報提供システムを提供する。
【０００６】
第１の形態の別の態様は、所定の装置から所定の範囲に位置する端末を検出する対象端末検出部を更に備え、共通情報生成部は、対象端末検出部が検出した端末を特定する端末特定情報に基づいて共通指定情報を生成してもよい。また、対象端末検出部は、端末の端末特定情報を検出する特定情報検出部と、特定情報検出部に検出された端末特定情報により特定される端末の位置情報を取得する位置情報取得部と、位置情報に基づいて、所定の装置から所定の範囲に位置する端末を判定する対象判定部とを備えてもよい。例えば、所定の範囲は、端末を有する人が表示部に表示された内容を見ることができる範囲であってよい。また、端末から発信される端末特定情報を含む端末情報を受信する端末特定情報入力部を更に備え、端末特定情報検出部は、端末情報に含まれる端末特定情報を検出し、位置情報取得部は、端末特定情報受信部が受信した端末特定情報の強度を検出し、対象判定部は、強度に基づいて端末が所定の範囲に位置するか否かを判定してもよい。
【０００７】
また、端末特定情報と端末特定情報に対応付けられた端末の位置情報と含む端末情報を入力する端末情報入力部を更に備え、端末特定情報検出部は、端末情報に含まれる端末特定情報を検出し、端末位置情報取得部は、端末情報に含まれる位置情報を取得し、対象判定部は、所定の装置の位置情報と、端末位置情報取得部が取得した位置情報とに基づいて端末が所定の範囲に位置するか否かを判定してもよい。また、端末から発信される端末特定情報を受信する端末特定情報入力部を更に備え、端末特定情報検出部は、端末情報に含まれる端末特定情報を検出し、端末位置情報取得部は、端末特定情報検出部に検出された端末特定情報に対応付けられた端末の位置情報を、位置情報を提供する位置情報提供装置から取得し、対象判定部は、所定の装置の位置情報と、端末位置情報が取得した位置情報とに基づいて端末が所定の範囲に位置するか否かを判定してもよい。
【０００８】
また、情報選択部に選択された情報を所定の装置から所定の範囲に位置する端末に通知する個別通知部を更に備えてもよい。また、利用者情報格納部は、個別通知部から通知される情報を受け付けるか否かを指定する通知指定情報を端末特定情報に対応付けて格納し、個別通知部は、通知を受けることを指定された端末に情報選択部に選択された情報を通知してもよい。また、情報格納部に格納された情報を表示するスケジュールを格納するスケジュール格納部を更に備え、情報選択部は、所定の範囲に端末が位置しない場合に、表示スケジュールに基づいて情報格納部から情報を選択してもよい。また、情報選択部に選択された情報を特定する選択情報を、所定の装置に出力された情報を管理する管理装置に通知する表示状態通知部を更に備えてもよい。また、所定の装置は、情報を表示する表示装置であってよい。
【０００９】
本発明の第２の形態は、情報を提供する情報提供装置であって、情報を表示する表示部と、表示部から所定の範囲内に、無線通信システムにおける移動局が存在するか否かを検出する移動局検出部と、移動局が存在することを検出した場合に、表示部に情報を提供する情報提供部とを備えることを特徴とする情報提供装置を提供する。
【００１０】
本発明の第３の形態は、情報を提供する情報提供方法であって、情報を表示する表示部から所定の範囲に存在する人物に関する人物情報を取得する人物情報取得ステップと、人物情報に基づいて、情報を格納する情報格納部から情報を選択するステップと、選択した情報を表示部に表示するステップとを備えることを特徴とする情報提供方法を提供する。例えば、人物情報は、所定の範囲に存在する人物の、性別、年齢、職業、嗜好などの情報であってよい。
【００１１】
第３の形態の別の態様は、人物情報取得ステップは、表示部から所定の範囲に存在する無線通信システムにおける移動局を検出するステップと、検出した移動局を特定する特定情報を取得するステップと、特定情報と人物情報とを対応付けて格納する利用者情報格納部から人物情報を取得するステップとを有してもよい。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１４】
図１は、情報提供装置１００の一実施形態における機能ブロック図である。情報提供装置１００は、表示部２０、スピーカ２２、端末情報入力部２４及び情報提供部２００を備える。端末情報入力部２４は、利用者携帯端末１０から出力される利用者携帯端末１０を特定する端末特定情報を受信して情報提供部２００に出力する。例えば、端末情報入力部２４は、無線により利用者携帯端末１０から出力される端末特定情報を受信するアンテナであってよい。情報提供部２００は、端末情報入力部２４により受信された端末特定情報に基づいて情報を選択する。情報提供部２００は選択した情報を、表示部２０及びスピーカ２２の少なくとも一方に出力する。表示部２０は、情報提供部２００から供給された情報を表示する。表示部２０は、情報提供部２００から供給された音声情報を発音する。例えば、情報提供部２００は、選択した情報に音声情報が含まれる場合に、音声情報をスピーカ２２に出力する。例えば、情報提供部２００は、選択した情報に画像情報または映像情報が含まれる場合に、画像情報または映像情報を表示部２０に出力する。
【００１５】
例えば、情報は、広告、ニュース、天気予報などであってよい。例えば、情報提供部２００は、端末特定情報と対応付けて利用者の興味や趣味などの嗜好情報を保持し、利用者の嗜好情報に応じて情報を選択する。端末情報入力部２４が複数の端末特定情報を受信した場合、情報提供部２００は、複数の端末特定情報に共通する嗜好情報を抽出して、共通する嗜好情報に基づいて情報を選択してもよい。
【００１６】
従って、情報提供装置１００は、端末情報入力部２４の周辺に位置する利用者の嗜好に応じた情報を表示部２０及びスピーカ２２の少なくとも一方に出力することができる。例えば、端末情報入力部２４を表示部２０の側に配置することで、表示部２０の周囲に位置する利用者の嗜好に応じた情報を表示部２０に表示することができる。例えば、情報提供装置１００は電車やバスなどの車内、駅、映画館、病院などの複数の利用者が利用する公共の場所に設置されることが好ましい。以下、情報提供部２００が、表示部２０に情報を出力する場合を例に説明する。
【００１７】
図２は、情報提供システム３００の一実施形態における機能ブロック図である。情報提供システム３００は、複数の情報提供装置１００、管理部１１０、情報配信部１２０及び利用者情報提供部１３０を備え、それぞれネットワーク１２により接続される。情報提供装置１００は、表示部２０、スピーカ２２、端末情報入力部２４及び情報提供部２００を有する。管理部１１０は、基本スケジュールデータベース１１２及び管理データベース１１４を有する。情報配信部１２０は、情報データベース１１６を有する。利用者情報提供部１３０は、利用者情報データベース１１８を有する。
【００１８】
基本スケジュールデータベース１１２は、表示部２０に情報を表示させるタイミングを指定するスケジュールを格納する。例えば、基本スケジュールデータベース１１２は、時間と表示部２０に表示させる情報とを対応付けて格納してもよい。また、基本スケジュールデータベース１１２は、複数の情報提供装置１００が有する表示部２０毎にスケジュールを格納することが好ましい。
【００１９】
管理データベース１１４は、表示部２０に表示された情報を格納する。従って、管理データベース１１４を参照することにより、表示部２０に表示された情報を管理することができる。例えば、管理データベース１１４は、表示部２０を特定する情報と、情報を特定する情報特定情報と、情報を表示した時間とを対応付けて格納してもよい。情報データベース１１６は、表示部２０に表示する情報を格納する。利用者情報データベース１１８は、利用者の端末を特定する端末特定情報と、利用者の嗜好情報とを対応付けて格納する。
【００２０】
情報提供装置１００は、利用者情報提供部１３０から取得した利用者の嗜好情報に基づいて、情報提供装置１００の周囲に位置する利用者に共通する嗜好情報を抽出する。情報提供装置１００は、抽出した嗜好情報に対応付けられた情報を、ネットワーク１２を介して情報配信部１２０から取得する。情報提供装置１００は、取得した情報を表示部２０に表示させる。また、情報提供装置１００は、表示部２０に表示させた情報を特定する情報特定情報をネットワーク１２を介して管理部１１０に提供する。管理部１１０は、情報提供装置１００から提供された情報特定情報を管理データベース１１４に格納する。
【００２１】
例えば、情報提供装置１００は、情報特定情報と、情報を表示した情報表示時間と、表示部２０を特定する表示部特定情報とを管理部１１０に提供してもよい。情報提供装置１００が、情報特定情報と、情報表示時間と、表示部特定情報とを対応付けて提供することにより、管理部１１０は、どの情報が、いつ、どの表示部２０で表示されたかを管理することができる。
【００２２】
情報提供装置１００は、端末特定情報を受信しない場合に、基本スケジュールデータベース１１２に格納されているスケジュールに基づいて情報を表示部２０に表示させる。従って、情報提供装置１００は端末情報入力部２４の周囲に利用者携帯端末１０を持たない利用者が位置する場合でも情報を表示部２０に表示させることができる。
【００２３】
図３は、情報提供装置１００の一実施形態における機能ブロック図である。情報提供装置１００は、表示部２０、スピーカ２２、端末情報入力部２４、対象端末検出部２６、共通情報生成部２８、情報選択部３０、出力制御部３２、表示状態通知部３４、通信部３６、及び個別通知部３８を備える。端末情報入力部２４は、利用者携帯端末１０から出力される端末特定情報を含む端末情報を入力する。例えば、端末情報入力部２４は、利用者携帯端末１０から無線信号として出力される端末情報を受信する装置（図示しない）であってよい。
【００２４】
端末情報入力部２４は、端末特定情報を含む無線信号を対象端末検出部２６に出力する。対象端末検出部２６は、端末情報入力部２４から供給される端末特定情報に基づいて、情報提供装置１００の周囲に位置する利用者携帯端末１０を特定する端末特定情報を検出する。例えば、対象端末検出部２６は、端末情報入力部２４で受信された無線信号の強度に基づいて、情報提供装置１００の周囲に位置する利用者携帯端末１０の端末特定情報を検出してもよい。例えば、対象端末検出部２６は、所定の強度より大きい強度で受信されたか否かに基づいて、情報提供装置１００の周囲に位置する利用者携帯端末１０の端末特定情報を検出してもよい。対象端末検出部２６は、検出した端末特定情報を共通情報生成部２８に出力する。対象端末検出部２６及び共通情報生成部２８が請求項に記載した移動局検出部に該当する。
【００２５】
共通情報生成部２８は、対象端末検出部２６から供給される端末特定情報に基づいて、端末特定情報に対応付けられた所定の情報を通信部３６を介して利用者情報データベース１１８から取得する。例えば、所定の情報は、端末特定情報に対応付けられた利用者の年齢、性別、職業、住所などの諸情報、利用者の興味、趣味などの嗜好情報であってよい。共通情報生成部２８は、対象端末検出部２６から複数の端末特定情報が供給される場合に、複数の端末特定情報に対応付けられた諸情報、嗜好情報に共通する情報を選択する。共通情報生成部２８は、端末特定情報に基づいて取得した諸情報、嗜好情報に含まれる情報の数を計数して、計数した結果が多い情報を共通情報として生成してもよい。共通情報生成部２８は精製した共通情報を情報選択部３０に出力する。
【００２６】
情報選択部３０は、共通情報生成部２８から供給される共通情報に基づいて、通信部３６を介して情報データベース１１６から表示部２０に表示する表示情報を取得する。情報選択部３０は取得した表示情報を出力制御部３２に出力する。また、情報選択部３０は、表示情報に関連する情報を個別通知部３８に出力する。出力制御部３２は、画像情報及び映像情報並びに文字情報を表示部２０に出力する。また、出力制御部３２は、音声情報をスピーカ２２に出力する。表示部２０は、出力制御部３２から供給される画像情報または映像情報を表示する。スピーカ２２は、出力制御部３２から供給される音声情報を出力する。
【００２７】
表示状態通知部３４は、情報選択部３０により選択され、出力制御部３２により出力された表示情報の表示状態を通知する。例えば、表示状態通知部３４は、情報を表示した表示部２０を特定する表示部特定情報、表示時間などを通信部３６を介して管理データベース１１４に出力する。
【００２８】
個別通知部３８は、情報選択部３０から供給される表示情報に関連する情報を利用者携帯端末１０に個別に通知する。例えば、個別通知部３８は、共通情報生成部２８から供給される端末特定情報と、端末特定情報に個別に表示情報に関連する情報を通知することを指定する個別通知指定情報とに基づいて、情報選択部３０により選択された表示情報に関連する情報を利用者携帯端末１０に通知する。従って、個別通知部３８は、個別通知指定情報が共通情報生成部２８から供給される端末特定情報に対応付けられている場合に、表示情報に関連する情報を送信することができる。
【００２９】
通信部３６は、ネットワーク１２を介して情報の入出力をする。例えば、通信部３６をネットワーク１２と接続するモデム、ＬＡＮカードなどのネットワーク接続デバイスであってよい。
【００３０】
図４は、対象端末検出部２６の詳細な機能ブロック図の一例である。対象端末検出部２６は、端末特定情報検出部４０、端末位置情報取得部４２、対象端末判定部４４を備える。対象端末判定部４４は、判定テーブル４５を有する。端末特定情報検出部４０は、端末情報入力部２４から供給される端末情報から端末特定情報を検出して対象端末判定部４４に出力する。端末位置情報取得部４２は、端末情報入力部２４から供給される端末情報に基づいて、端末の位置情報を取得して対象端末判定部４４に出力する。例えば、端末位置情報取得部４２は、端末情報入力部２４で受信した端末情報の電波の強度を検出して対象端末判定部４４に出力する。対象端末判定部４４は、端末特定情報検出部４０から供給される端末特定情報と、端末位置情報取得部４２から供給される端末の位置情報とに基づいて、対象端末であるか否かを判定する。
【００３１】
対象端末判定部４４は、端末特定情報と端末の位置情報とを判定テーブル４５に対応付けて格納する。対象端末判定部４４は、判定テーブル４５に基づいて対象端末を判定する。例えば、対象端末判定部４４は、端末特定情報と強度とを対応付けて判定テーブル４５に格納し、端末位置情報取得部４２から供給される強度としきい値とに基づいて対象端末を判定してもよい。例えば、対象端末判定部４４は、端末特定情報と強度とを対応付けて判定テーブル４５に格納し、強度が所定の強度より大きい場合に対象端末と判定してもよい。従って、対象端末検出部２６は、対象端末の端末特定情報を検出することができる。
【００３２】
図５は、判定テーブル４５のデータ構造の一例である。判定テーブル４５は、端末特定情報６０、強度６１及び判定フラグ６２を有する。端末特定情報６０は、端末特定情報検出部４０から供給される端末特定情報をである。例えば、端末が携帯電話、ＰＨＳなどの無線通信システムにおける移動局の場合、端末特定情報は、移動局を特定する電話番号であってよい。強度６１は、端末位置情報取得部４２から供給される端末情報入力部２４が受信した無線信号の強度である。判定フラグ６２は、対象端末であるか否かを指定するフラグである。例えば、強度は、端末情報入力部２４と利用者携帯端末１０の距離が近いほど強くなり、端末位置情報取得部４２は、所定の強度より大きい場合に対象端末であることを指定する論理値「１」を指定する。
【００３３】
図６は、利用者情報データベース１１８のデータ構造の一例である。利用者情報データベース１１８は、端末特定情報６５、利用者諸情報６６、利用者嗜好情報６７、個別通知フラグ６８及び個別通知情報種類６９を有する。端末特定情報６５は、利用者携帯端末１０を特定する端末特定情報である。例えば、端末が携帯電話、ＰＨＳなどの無線通信システムにおける移動局の場合、端末特定情報は、移動局を特定する電話番号であってよい。
【００３４】
利用者諸情報６６は、利用者携帯端末１０を有する利用者の性別、年齢、職業、役職、住所などの利用者に関する情報である。利用者諸情報６６に含まれる個々の情報を諸情報要素と定義する。利用者嗜好情報６７は、利用者携帯端末１０を有する利用者の趣味、興味のあることなどの嗜好情報である。利用者嗜好情報６７に含まれる個々の情報を嗜好要素と定義する。個別通知フラグ６８は、個別に情報を通知するか否かを指定する。個別通知情報種類６９は、個別に通知する情報の種類を指定する。
【００３５】
図３を用いて説明した共通情報生成部２８は、対象端末検出部２６から供給される端末特定情報に対応付けられた利用者嗜好情報６７に共通する嗜好要素を検出して、共通情報を生成する。例えば、対象端末検出部２６から図６において、ａ、ｂ及びｃの端末特定情報が供給された場合、共通情報生成部２８は、共通する嗜好要素として、コンピュータを検出し、コンピュータを共通情報として情報選択部３０に出力する。また、共通情報生成部２８は、対象端末検出部２６から供給される端末特定情報に対応付けられた利用者諸情報６６に共通する諸情報要素を検出して、共通情報を生成してもよい。例えば、共通情報生成部２８は、対象端末検出部２６から供給される端末特定情報に対応付けられた利用者嗜好情報６７または利用者諸情報６６の少なくとも一方に共通する諸情報要素または嗜好要素を検出して共通情報としてもよい。
【００３６】
また、共通情報生成部２８は、利用者嗜好情報６７として多く登録されている嗜好要素を共通情報として情報選択部３０に出力してもよい。また、共通情報生成部２８は、利用者諸情報６６として多く登録されている諸情報要素を共通情報として情報選択部３０に出力してもよい。従って、共通情報生成部２８は、対象端末検出部２６から供給される端末特定情報に基づいて、共通情報を生成して情報選択部３０に出力することができる。
【００３７】
個別通知部３８は、個別に通知することが個別通知フラグ６８に指定された利用者携帯端末１０に、情報選択部３０から供給される表示情報に関連する情報を、通知する。また、個別通知部３８は、情報選択部３０から供給される表示情報に関連する情報と、個別通知情報種類６９に保持される個別に通知する情報の種類とに基づいて、情報選択部３０から供給される表示情報に関連する情報を通知してもよい。従って、個別通知部３８は、表示情報に関連する情報を、個別に情報を通知すると指定された利用者携帯端末１０に通知することができる。
【００３８】
図７は、情報データベース１１６のデータ構造の一例である。情報データベース１１６は、情報特定情報７０、格納位置７１、分類７２及び対象者７３を有する。情報特定情報７０は表示情報を特定する情報特定情報である。例えば、情報特定情報７０は、表示情報を特定する数字または文字の少なくとも一方を含むコードであってよい。格納位置７１は、表示情報の格納位置を指定する情報である。分類７２は、表示情報の種類を指定する情報である。対象者７３は、表示情報の対象を指定する情報である。例えば、対象者７３は、嗜好要素または諸情報要素の少なくとも一方であってよい。
【００３９】
情報選択部３０は、共通情報生成部２８から供給される共通情報と、対象者７３とに基づいて表示情報を選択する。例えば、共通情報生成部２８から共通情報として「コンピュータ」が供給された場合に、情報選択部３０は対象者７３として「コンピュータ」が対応付けられている「００３２」で特定される表示情報を選択する。従って、情報選択部３０は、表示情報を選択することができる。
【００４０】
従って、情報提供システム３００は、端末情報入力部２４の周辺に位置する利用者携帯端末１０を有する利用者に応じて、表示情報を表示部２０に表示させることができる。端末情報入力部２４の周辺に位置する利用者に応じた表示情報を表示部２０に表示させることができるので、表示情報を効果的に表示させることができる。例えば、表示情報として広告を表示部２０に表示させる場合、端末情報入力部２４の周辺に位置する利用者に応じた広告を表示させることができる。
【００４１】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。こうした変更例として以下のものがある。
【００４２】
第一の変更例は、基本スケジュールデータベース１１２は、時間帯と該時間帯における表示部２０に表示する情報の候補とを格納し、情報提供部２００は、該情報の候補から、表示部２０に表示する情報を利用者に共通する嗜好情報に基づいて選択してもよい。
【００４３】
第二の変更例は、情報提供装置１００は端末情報入力部２４により受信した端末特定情報の数を管理データベース１１４に格納させてもよい。また、情報提供装置１００は、端末情報入力部２４により受信した端末特定情報のうち、情報提供装置１００の周囲に位置すると判定した端末特定情報の数を管理データベース１１４に格納させてもよい。
【００４４】
第三の変更例は、対象端末検出部２６は、端末情報入力部２４から供給される端末特定情報に基づいて、利用者携帯端末１０の位置情報を提供する位置情報提供装置からネットワーク１２を介して利用者携帯端末１０の位置情報を取得して、利用者携帯端末１０が情報提供装置１００の周囲に位置するか否かを判定してもよい。
【００４５】
第四の変更例は、端末特定情報検出部４０は、端末情報から検出した端末特定情報を端末位置情報取得部４２に出力し、端末位置情報取得部４２は、端末特定情報検出部４０から供給された端末特定情報に基づいて、端末の位置情報を提供する位置情報提供装置から位置情報を取得して対象端末判定部４４に出力してもよい。
【００４６】
【発明の効果】
上記説明から明らかなように、本発明によれば情報提供装置の周辺に位置する利用者に応じた情報を提供することができる。
【図面の簡単な説明】
【図１】情報提供装置１００の一実施形態における機能ブロック図である。
【図２】情報提供システム３００の一実施形態における機能ブロック図である。
【図３】情報提供装置１００の一実施形態における機能ブロック図である。
【図４】対象端末検出部２６の詳細な機能ブロック図である。
【図５】判定テーブル４５のデータ構造の一例である。
【図６】利用者情報データベース１１８のデータ構造の一例である。
【図７】情報データベース１１６のデータ構造の一例である。
【符号の説明】
１０  利用者携帯端末
１２  ネットワーク
２０  表示部
２２  スピーカ
２４  端末情報入力部
２６  対象端末検出部
２８  共通情報生成部
３０  情報選択部
３２  出力制御
３４  表示状態通知部
３６  通信部
３８  個別通知部
４０  端末特定情報検出部
４２  端末位置情報取得部
４４  対象端末判定部
４５  判定テーブル
１００  情報提供装置
１１０  管理部
１１２  基本スケジュールデータベース
１１４  管理データベース
１１６  情報データベース
１１８  利用者情報データベース
１２０  情報配信部
１３０  利用者情報提供部
２００  情報提供部
【図１】
0004193959.tif 000002
【図２】
0004193959.tif 000003
【図３】
0004193959.tif 000004
【図４】
0004193959.tif 000005
【図５】
0004193959.tif 000006
【図６】
0004193959.tif 000007
【図７】
0004193959.tif 000008